(57)【特許請求の範囲】
【請求項１】
電気導体を接触させるためのばね締付接点（１）であって、母線（２）と、少なくとも２つの締付ばね（３）と、母線（２）から離れる方向に伸長するフレーム部分（８）と、を備え、
少なくとも２つの締付ばね（３）は、それぞれ、装着脚（４）と、装着脚（４）に隣接するばねアーチ（５）と、ばねアーチ（５）に隣接する、自由端部に締付セクション（７）を備えた締付脚（６）と、を有し、締付セクション（７）と母線（２）との間に、電気導体を締め付けるために締付位置が形成されており、
フレーム部分（８）は、それぞれ、相互に間隔をなす２つのサイドウェブ（９ａ、９ｂ）と、サイドウェブ（９ａ、９ｂ）を相互に結合するクロスウェブ（１０、１１）と、サイドウェブ（９ａ、９ｂ）およびクロスウェブ（１０、１１）により形成された導体貫通開口（１２）と、を有し、
締付ばね（３）は、締付セクション（７）が締付ばね（３）のばね力を介して母線（２）の方向に作用するように、締付ばね（３）の装着脚（４）および／または母線（２）の保持要素（２６）の、導体貫通開口（１２）内におけるクロスウェブ（１０、１１）に対する接触によって母線（２）に固定されている、ばね締付接点（１）において、
少なくとも２つの締付ばね（３）に対する少なくとも２つのフレーム部分（８）が、隣接するフレーム部分（８）の間隔をなす２つのサイドウェブ（９ａ、９ｂ）間の中間空間（１４）により相互に間隔をなしていることを特徴とするばね締付接点（１）。
【請求項２】
フレーム部分（８）が母線（２）と共に単一部品として成形されていることを特徴とする請求項１に記載のばね締付接点（１）。
【請求項３】
フレーム部分（８）が母線（２）とは別の少なくとも１つのフレーム要素として形成され且つ該別の少なくとも１つのフレーム要素が母線（２）に係止されていることを特徴とする請求項１に記載のばね締付接点（１）。
【請求項４】
母線（２）がフレーム部分（８）に対する保持要素として保持突起（２６）を有し且つフレーム部分（８）はクロスウェブ（１１）を母線（２）の保持突起（２６）の下側に係合させることを特徴とする請求項３に記載のばね締付接点（１）。
【請求項５】
母線（２）が係止開口または係止凹部を有すること、およびフレーム部分（８）が、割り当てられた係止開口または係止凹部に係止される係止フィンガを有すること、を特徴とする請求項３または４に記載のばね締付接点（１）。
【請求項６】
締付セクション（７）がばねアーチ（５）に隣接する締付脚（６）のセクションから母線（２）の方向に向けて曲げられるかまたは折り曲げられていることを特徴とする請求項１ないし５のいずれか１項に記載のばね締付接点（１）。
【請求項７】
締付セクション（７）が締付脚（６）の残りのセクションより小さい幅を有することを特徴とする請求項１ないし６のいずれか１項に記載のばね締付接点（１）。
【請求項８】
締付セクション（７）よりも大きい幅を有する締付脚（６）のセクションにおける、締付セクション（７）に対して相対的に横方向に突出する少なくとも１つの領域が、操作セクションとして設けられており、これにより、締付ばね（３）の締付セクション（７）と母線（２）との間に形成された電気導体のための締付位置が、操作セクションと協働する操作要素により開放されることを特徴とする請求項７に記載のばね締付接点（１）。
【請求項９】
絶縁材ハウジング（１７）および請求項１ないし８のいずれか一項に記載の少なくとも１つのばね締付接点（１）を備えた電気導体用結合端子（１６）であって、
少なくとも１つの操作要素（１９）が絶縁材ハウジング（１７）内に可動に組み込まれており、
該少なくとも１つの操作要素（１９）は、隣接するフレーム部分（８）の隣接する２つのサイドウェブ（９ａ、９ｂ）間の付属中間空間（１４）内に突出しており、
該少なくとも１つの操作要素（１９）は、電気導体を挟み付けるために締付ばね（３）の締付セクションと母線（２）との間に形成される締付位置を開放するように、少なくとも１つの締付ばね（３）に力を加えるための輪郭を有することを特徴とする、電気導体用結合端子（１６）。
【発明の詳細な説明】
【技術分野】
【０００１】
本発明は、電気導体を母線と接触させるためのばね締付接点であって、それぞれ、装着脚、装着脚に続くばねアーチ、およびばねアーチに続く、自由端部に締付セクションを備えた締付脚を有する少なくとも２つの締付ばねを備え、およびそれぞれ、相互に間隔をなす２つのサイドウェブおよびサイドウェブを相互に結合する１つのクロスウェブを有する、母線から離れて伸長するフレーム部分を備え、この場合、サイドウェブおよびクロスウェブにより導体貫通開口が形成され、付属締付ばねの装着脚がクロスウェブに当接し、および締付セクションが締付ばねのばね力により母線の方向に作用する、該ばね締付接点に関するものである。
【０００２】
本発明は、さらに、絶縁材ハウジングおよび少なくとも１つのこのようなばね締付接点を備えた電気導体用結合端子に関するものである。
【背景技術】
【０００３】
このようなばね締付接点は、結合端子に、特に複数の電気導体を相互に導電結合するためのソケット端子に、導体板プラグコネクタ、その他のプラグコネクタおよび直列端子またはその他の電気装置に利用される。
【０００４】
ドイツ特許第１０２００７０１７５９３Ｂ４号から、中心面に対して鏡像対称に、それから２つの板ばね舌片が切り出されたばね鋼薄板を有する結合端子が既知である。母線ウェブは、中心面内において、ばね鋼薄板の部材に当接する。
【０００５】
さらにドイツ特許第１０２３７７０１Ｂ４号から、かご形引張ばねが、その装着脚を、かご形引張ばねの導体貫通開口内に突出する母線部材に当接させる、レバー操作結合端子が既知である。レバーは上からかご形引張ばねの操作セクションに作用し、この場合、導体貫通開口を有する締付セクションは、母線部材に対して直角に、操作セクションから離れるように曲げられている。
【０００６】
ドイツ特許第１９６５４６１１Ｂ４号から、さらに、Ｕ形状に曲げられた板ばねを母線部材の導体貫通開口内にはめ込み固定することが既知である。このために、母線部材は、相互にコーナー角を形成する保持脚および接点脚を有し、これにより、板ばねを保持するように働く保持脚はその背部が導体挿入方向に対して直角となるように配置され且つ電気導体を貫通させるための貫通部を有し、および接点脚は保持脚のコーナー角の頂点に直接続き且つ頂点から離れるように導体挿入方向に伸長する。
【０００７】
ドイツ特許公開第１０２０１００２４８０９Ａ１号に、絶縁材ハウジングと、および締付ばねおよび母線セクションを備えたばね締付ユニットと、を有するレバー操作接続端子が記載されている。締付ばねは、母線セクションから離れるように突出し且つ導体貫通開口を有するブラケット内にはめ込み固定された装着セクションを有する。締付ばねは、さらに、電気導体を母線セクションに対して挟み付けるように形成された締付セクションと、およびこれから突出する操作セクションとを有し、操作セクションは、締付セクションに作用する締付ばねのばね力の方向から離れるように伸長し、および操作要素により力を与えるために、操作要素を移動させてばね力に抗して操作セクションに作用する、締付ばねを開放するための引張力を与えるように、操作要素が操作セクションと係合可能なように設計されている。
【先行技術文献】
【特許文献】
【０００８】
【特許文献１】ドイツ特許第１０２００７０１７５９３Ｂ４号
【特許文献２】ドイツ特許第１０２３７７０１Ｂ４号
【特許文献３】ドイツ特許第１９６５４６１１Ｂ４号
【特許文献４】ドイツ特許公開第１０２０１００２４８０９Ａ１号
【発明の概要】
【発明が解決しようとする課題】
【０００９】
このことから出発して、本発明の課題は、電気導体を接触させるための改良されたばね締付接点並びに改良された電気導体用結合端子を提供することである。
【課題を解決するための手段】
【００１０】
この課題は、請求項１の特徴を有するばね締付接点並びに請求項９の特徴を有する結合端子により解決される。
このタイプのばね締付接点に対して、少なくとも２つの締付ばねに対する少なくとも２つのフレーム部分が、並列に配置されたフレーム部分の間隔をなす２つのサイドウェブ間の中間空間により相互に間隔をなしていることが提案される。
【００１１】
並列に配置されたフレーム部分の２つの隣接サイドウェブ間の間隔により自由空間が提供され、この自由空間内に、例えば絶縁材ハウジング内に揺動可能に配置された操作レバーのような操作要素および／またはハウジング壁セクションが配置可能であることが好ましい。このようにして、ばね締付接点のきわめてコンパクトな設計において必要な空間距離または沿面距離を保持しながら、きわめてコンパクトな結合端子が形成可能であることが達成される。
【００１２】
好ましい実施形態においては、フレーム部分は母線と共に単一部品として成形されている。このために、サイドウェブおよびクロスウェブを形成するように、母線薄板から導体貫通開口が打ち抜かれ、且つ打抜工程の前または後に、サイドウェブがこれらを結合するクロスウェブと共に、即ちフレーム部分が、母線の締付接点面から鋭角または鈍角を形成して折り曲げられる。その上に締付位置が形成される母線面とフレーム部分との間の角度は約６０ないし１２０度の値を有することが好ましい。
【００１３】
フレーム部分が母線とは別のフレーム要素として形成され、この場合、フレーム要素が母線内にはめ込み固定されている実施形態もまた考えられる。この場合、フレーム要素が好ましくは母線の下側に係合することにより、フレーム要素のクロスウェブおよびフレーム部分と母線との間に作用する締付ばねの力により、フレーム要素は母線に保持される。このために、母線に、フレーム要素のクロスウェブにより下側に係合される保持突起の形の保持要素が設けられていてもよい。しかしながら、フレーム要素を母線と（着脱可能に）結合するために、母線が、フレーム要素の固定フィンガがその中に係合する固定開口または固定凹部を有することもまた考えられる。
【００１４】
電気導体のための締付位置を形成するために、締付ばねの締付セクションがばねアーチに続く締付脚のセクションから母線の方向に向けて曲げられるかまたは折り曲げられていることが好ましい。この場合、締付ばねによる電気導体の確実な挟付けが改良され且つ同時に、電気導体が予め締付ばねを操作することなく締付位置に接続可能であることが保証される。
【００１５】
さらに、締付セクションが締付脚のその他のセクションより小さい幅を有するとき、それは有利である。締付セクションよりも幅の広い締付脚のセクションの、締付セクションに対して相対的に横に飛び出している少なくとも１つの領域が、締付ばねの締付セクションと母線との間に形成された電気導体のための締付位置を、操作セクションと協働し且つ２つのフレーム部分の間の中間空間内に入り込む操作要素により開放するための該操作セクションとして設けられているので、それは特に有利である。
【００１６】
以下に本発明が添付図面を用いて一実施例により詳細に説明される。
【図面の簡単な説明】
【００１７】
【図１】図１は、母線および並列に配置された３つの締付ばねを備えたばね締付接点の第１の実施形態の斜視図を示す。
【図２】図２は、図１からのばね締付接点の側面図を示す。
【図３】図３は、図１からのばね締付接点の側断面図を示す。
【図４】図４は、操作レバーが開放された、絶縁材ハウジング、付属締付ばね用操作レバーおよび絶縁材ハウジング内に組み込まれた図１からのばね締付接点を備えた結合端子の側断面図を示す。
【図５】図５は、操作レバーが閉鎖された、図４からの結合端子の側断面図を示す。
【図６】図６は、ばね締付接点の第２の実施形態の斜視図を示す。
【図７】図７は、図６からのばね締付接点の側断面図を示す。
【図８】図８は、ばね締付接点の第３の実施形態の斜視図を示す。
【図９】図９は、図８からのばね締付接点の側断面図を示す。
【発明を実施するための形態】
【００１８】
図１は、本質的に、母線２および複数の、例えば図示のような３つの締付ばね３から形成されたばね締付接点１の第１の実施形態の斜視図を示す。母線２は、例えば薄銅板のような良導電材料から形成されている。母線２は締付ばね３の伸長方向を横切るように且つ複数の締付ばね３の並列方向に伸長する。このようにして、このとき、１つの締付ばね３により母線２の締付位置に挟み付けられた電気導体は、ばね締付接点１の他の締付ばね３において挟み付けられた他の電気導体と導電結合可能である。
【００１９】
締付ばね３は、それぞれ、装着脚４、装着脚４に続くばねアーチ５およびばねアーチ５に続く締付脚６を有する。締付脚６はそれぞれ自由端部に締付セクション７を有し、締付セクション７に締付端縁が形成されている。母線２により各締付ばね３に対して付属フレーム部分８が形成され、フレーム部分８はそれぞれ相互に間隔をなす２つのサイド（側方）ウェブ９ａ、９ｂおよびサイドウェブ９ａ、９ｂを自由端部において相互に結合する上部クロス（横方向）ウェブ１０を有する。横方向に伸長する母線２は、上部クロスウェブ１０に向かい合って、他の下部クロスウェブ１１を形成する。サイドウェブ９ａ、９ｂおよび相互に向かい合うクロスウェブ１０、１１により、電気導体を貫通させるための導体貫通開口１２が提供され、電気導体は、付属締付ばね３の締付セクション７の締付端縁および母線２の下部クロスウェブ１１に形成された接点端縁１３に挟み付けられる。したがって、締付ばね３の締付セクション７の締付端縁および母線２の接点端縁１３は、挟み付けられるべき電気導体に対する締付位置を形成する。
【００２０】
並列に配置された締付ばね３に対するフレーム部分８は、並列に配置されたフレーム部分８の間に中間空間１４を形成して相互に間隔をなしていることがわかる。並列に位置するフレーム部分８の隣接サイドウェブ９ａ、９ｂは相互に間隔を有する。この中間空間１４内に少なくとも１つの付属締付ばね３に対する操作要素（図示されていない）の１つのセクションが入り込むことが可能であるので、締付ばね３の間の空間および特に中間空間１４によるフレーム部分８の間の空間は操作レバーのセクションを受け入れるために利用可能である。これにより、きわめてコンパクトな結合端子が形成可能である。
【００２１】
さらに、締付ばね３の締付セクション７は、それに続く締付脚６およびばねアーチ５の他のセクションよりも小さい幅を有することがわかる。したがって、締付セクション７に対して相対的に横に突出している締付脚６の領域が存在し、この領域に操作レバーの操作輪郭が作用可能であり、この場合、少なくとも閉鎖状態において中間空間１４内に入り込んだ操作レバーの側壁セクションに操作輪郭が配置されている。図示されていないこの操作レバーの回転軸はこのとき締付脚６およびばねアーチ５の下側で締付脚６と母線２との間の中間空間内に存在する。
【００２２】
さらに、装着脚４の自由端部が、同様に、ばねアーチ５に続く、装着脚４およびばねアーチ５のセクションより小さい幅を有することがわかる。装着脚４のこの小さい幅は、上部クロスウェブ１０に装着させるように導体貫通開口１２内に装着脚４をはめ込み固定させることを可能にするために、フレーム部分８の導体貫通開口１２の幅に適合されている。
【００２３】
図２は、図１からのばね締付接点１の側面図を示す。この場合、装着脚４の後方自由端部はフレーム部分８の導体貫通開口１２を貫通して突出し且つフレーム部分８内にはめ込み固定（換言すれば、係止）されていることがわかる。さらに、フレーム部分８が母線２と一体に単一部品として同じ薄板部分から形成され且つ締付ばね３の締付端縁に隣接する母線の平面から締付ばね３の装着脚４の方向に約９０°ないし１２０°の角度で曲げられていることがわかる。
【００２４】
さらに、締付脚６は、図示された当接状態において締付セクション７の締付端縁がそれに当接する母線２の平面の方向に約７０°ないし１２０°の内角で曲げられ且つこの平面に対して（＋／−２０°）の範囲でほぼ垂直であることがわかる。導体挿入方向に対して直角に著しく曲げられたこのセクションから、次に、締付セクション７は、締付端縁を形成するために自由端部において再び曲げ戻され且つ母線２の前記平面に対して鋭角を形成している。このようにして、導体挿入方向Ｌに挿入された多線電気導体の直接挟付けは、締付脚６を上方に装着脚４の方向に移動させることによる締付位置の事前開放がなければ、阻止可能である。事前操作なしに多線電気導体をこのように直接挿入することは、電気導体の多線をばらばらにさせ、このとき多線は接続空間内において制御不能となる。
【００２５】
図３は、図１および２からのばね締付接点の第１の実施形態の側断面図を示す。ここで、装着脚４が曲げ端部セクション１５を導体貫通開口１２内に貫通させ且つ上部クロスウェブ１０に当接していることがわかる。したがって、締付ばね３は母線２内にはめ込み固定（換言すれば、係止）されて位置が安定される。Ｕ形状に曲げられた締付ばね３の反対側端部即ち締付脚６の締付セクション７は、複数の締付ばね３を横切るように伸長する、フレーム部分８に隣接する母線２のセクションの方向に曲げられ、この場合、締付セクションの自由端部は母線２のこの横方向伸長セクションに対して鋭角を形成している。これに対して、自由端部に続く、導体挿入方向Ｌおよび母線２のセクションを横切るように配置される締付脚６のセクションは、締付ばね３の事前操作なしに多線電気導体を直接挿入することを阻止するために、母線２の横方向伸長セクションに対して鈍角を形成している。
【００２６】
図４は、絶縁材ハウジング１７を備えた結合端子１６の断面図を示す。絶縁材ハウジング１７は２つの部分として設計され且つ絶縁材料から形成された主ハウジング部分１８を有し、主ハウジング部分１８は、操作レバー１９およびばね締付接点１を組み込んだのちにカバー部分２０により閉鎖される。この場合、主ハウジング部分１８およびカバー部分２０は相互に固定され、このようにして、部分円形周囲を有する揺動軸受セクション２１を備えた操作レバー１９を、この部分円形円周において、絶縁材ハウジング１７内のそれに対応する部分円周軸受輪郭２２で支持することが可能である。この場合、揺動軸受セクション２１は、母線２上に支持されてもよい。
【００２７】
揺動軸受セクション２１は、曲線軌道を介して外周内に移行するＶ形状セグメントの形の操作輪郭２３を有することがわかる。この場合、付属締付ばね３の締付脚６はこの操作輪郭２３上の側部領域と当接するので、締付脚６は、図示の操作レバー１９の開放位置において、母線２の横方向伸長セクションから離れるように移動されている。
【００２８】
次に、正面側が開放し且つばね締付接点１の接続空間内に開口する絶縁材ハウジング１７内の導体挿入開口２４を介して、電気導体が挿入可能である。このとき、電気導体は、傾斜して伸長する、締付ばね３を横切るように伸長する母線２のセクション上で、ばね締付接点１の付属フレーム部分８の導体貫通開口１２を介して案内される。電気導体の裸自由端部は、次に、導体挿入方向Ｌ即ち導体挿入開口２４の伸長方向に見てフレーム部分８の導体貫通開口１２の後方に位置する導体受入ポケット２５内に到達する。
【００２９】
図５は、閉鎖状態における図４からの結合端子１６を示す。この場合、操作レバー１９は絶縁材ハウジング１７の方向に下方に折り畳まれている。ここでは、操作輪郭２３は揺動軸受セクション２１の揺動により約９０°だけ回転されている。この場合、締付脚６は締付ばね３の力により装着脚４から離れて母線２の方向に下方に移動可能である。図示の閉鎖終端位置において、締付脚６はもはや操作セクション２３に当接していないので、締付ばね３は操作レバー１９により影響を受けることなく移動可能である。したがって、導体挿入開口２４内に挿入された図示されていない電気導体は、締付ばね３の力により、自由締付セクション７の締付端縁および母線２の接点端縁１３を介して電気的に導通し且つ機械的に締付固定されるので、電流は電気導体および母線２を介して隣接締付接点に案内可能である。
【００３０】
図６は、ばね締付接点１の第２の実施形態の斜視図を示す。この場合もまた、母線２は複数の締付ばね３の並列方向を横切るように伸長する。各締付ばね３に対して、母線２から、導体挿入方向Ｌ即ち締付ばね３の装着脚４および締付脚６の伸長方向に、母線２の側部端縁からそれぞれ保持突起２６が突出する。
【００３１】
この実施形態においては、電気導体を挟み付けるための締付位置は、締付ばね３の締付セクション７の自由端部における締付端縁および付属保持突起２６における接点端縁１３により提供される。したがって、挟み付けられるべき電気導体は、締付ばね３の力により、締付ばね３の締付セクション７における締付端縁を介して、向かい合う保持突起２６における接点端縁１３に対して圧着される。このようにして、締付ばね３の力は縮小された所定の接点領域に集中され且つこのようにして面圧着が最適化される。
【００３２】
図示の実施例においては、フレーム部分８はここでは付属締付ばね３と一体に単一部品として成形されている。この場合、フレーム部分８は装着脚４の延長として形成され且つ装着脚４から、向かい合う母線２の横方向伸長セクションの方向に曲げられている。一方、フレーム部分８は、サイドウェブ９ａ、９ｂと、および自由端部においてサイドウェブ９ａ、９ｂを相互に結合する、母線２の下側に係合するクロスウェブ１１と、を有する。このクロスウェブ１１により、締付ばね３は母線２内にはめ込み固定され且つ締付ばねの力により締付脚６を介して母線２に保持される。
【００３３】
フレーム部分８の、それに続く装着脚４への移行部によりフレーム部分８を結合するための上部クロスウェブ１０が提供されるので、クロスウェブ１０、１１およびサイドウェブ９ａ、９ｂは電気導体を貫通させるための導体貫通開口１２を形成する。
【００３４】
図７は、図６からのばね締付接点１の側断面図を示す。クロスウェブ１１がフレーム部分８の自由端部において折り返されるかないしは曲げ返され且つ母線２の横方向伸長セクションの下側に位置していることがわかる。この場合、保持突起２６は、下部クロスウェブ１１に対するストッパを形成するために、例えばプレスにより母線２の平面から下方に変形される。このようにして、締付ばね３は母線２に固定される。保持突起２６の下方への変形により、母線２の上部側に電気導体を挟み付けるための接点端縁１３が提供され、導体に締付ばね３の締付力が集中される。締付セクション７は、締付ばね３の締付脚６の自由端部において、保持突起２６の下方への変形により提供された自由空間内に入り込み且つ母線２の正面側ないしは接点端縁１３に当接する。これにより、母線２および締付ばね３の自己支持型システムが提供され、自己支持型システムは、このように予め組み立てられて、結合端子１６の絶縁材ハウジング１７内に装着可能である。
【００３５】
図８は、ばね締付接点１の第３の実施形態の斜視図を示し、および図９はその側断面図を示す。この場合もまた、同様に、複数の締付ばね３が並列に配置され且つ母線２内にはめ込み固定されている。この実施形態においては、母線２および締付ばね３とは別の、好ましくは薄板材料から形成されたフレーム部分８が設けられている。母線２の役目は第２の実施形態に比較可能である。この場合もまた、フレーム部分８の下部クロスウェブ１１に対するストッパを形成するために、保持突起２６が母線２の下側に向けて下方に変形されている。しかしながら、第２の実施形態とは異なり、締付端縁１３を形成するための段部を有する自由空間が設けられていない。むしろ、母線は上面から斜めにテーパを有するので、締付端縁１３は、母線２の上面と斜めにテーパが付けられた端部との間の移行部内に形成される。しかしながら、この方法において、第２の実施例からの母線２の利用もまた考えられる。
【００３６】
第３の実施形態においては、別のフレーム部分８を用いて、付属締付ばね３の装着脚４が上部クロスウェブ１０内に、および母線２が保持突起２６を用いて下部クロスウェブ１１内にはめ込み固定されるように、第１および第２の実施形態が組み合わされる。この場合もまた、フレーム部分８は相互に間隔をなす２つのサイドウェブ９ａ、９ｂおよび向かい合う両方の端部においてサイドウェブ９ａ、９ｂを相互に結合するクロスウェブ１０、１１を有し、このようにして、その中に形成された導体貫通開口１２を有する、周囲が閉鎖されたフレームを提供可能である。
【００３７】
３つの全ての実施形態において、フレーム部分８は中間空間１４により相互に間隔をなして母線２に配置されているように設計されている。この場合、フレーム部分が母線２または付属締付ばね３と一体に単一部品として形成されているか、または母線２および締付ばね３とは別の部品として形成されているかどうかは問題ではない。
【００３８】
ばね締付接点１およびこのようなばね締付接点１を備えた結合端子１６は２列に設計されてもよい。この場合、フレーム部分が相互に反対方向に伸長することにより、相互に間隔をなす平行な２つの導体接続面が設けられている。この目的のために、反対方向に伸長する一体に成形されたフレーム部分８を有する二重に位置する母線２が設けられていてもよい。しかしながら、二重に位置する母線の間の空間内に別々のフレーム部分が受け入れられていてもよい。一方、１つの母線２上で交互に反対方向に向けられたフレーム部分８を有する導体接続部が並べられていることもまた考えられる。母線２の相互に向かい合う外側端縁に、相互に１８０°回転された方向に、一方が母線２の上側の空間内に、他方が母線２の下側の空間内に向けられたフレーム部分８を有するそれぞれ少なくとも１つの締付ばね３が、母線の上側と下側とに設けられていることによってもまた、２列の結合端子１６が提供可能である。
【符号の説明】
【００３９】
１  ばね締付接点
２  母線
３  締付ばね
４  装着脚
５  ばねアーチ
６  締付脚
７  締付セクション
８  フレーム部分
９ａ、９ｂ  サイドウェブ
１０、１１  クロスウェブ
１２  導体貫通開口
１３  接点端縁
１４  中間空間
１５  曲げ端部セクション
１６  結合端子
１７  絶縁材ハウジング
１８  主ハウジング部分
１９  操作レバー
２０  カバー部分
２１  揺動軸受セクション
２２  軸受輪郭
２３  操作輪郭
２４  導体挿入開口
２５  導体受入ポケット
２６  保持突起
Ｌ  導体挿入方向
【図１】
0006400607.tif 000002
【図２】
0006400607.tif 000003
【図３】
0006400607.tif 000004
【図４】
0006400607.tif 000005
【図５】
0006400607.tif 000006
【図６】
0006400607.tif 000007
【図７】
0006400607.tif 000008
【図８】
0006400607.tif 000009
【図９】
0006400607.tif 000010